(57)【特許請求の範囲】
【請求項１】
無線通信システムにおいて端末が非周期的ＣＳＩ（Channel State Information）を報告する方法であって、
前記端末が、ＭＣＧ（Master Cell Group）から前記ＭＣＧに対する非周期的ＣＳＩ報告要求を受信し、ＳＣＧ（Secondary Cell Group）から前記ＳＣＧに対する非周期的ＣＳＩ報告要求を受信するステップと、
前記端末が、前記ＭＣＧに対する前記非周期的ＣＳＩ報告要求、及び、前記ＳＣＧに対する前記非周期的ＣＳＩ報告要求に基づいて、最大５個のＣＳＩ処理に対する前記非周期的ＣＳＩを報告するステップと、を含み、
前記端末は、二重接続で前記ＭＣＧ及び前記ＳＣＧの両方に接続され、
前記ＭＣＧに対する前記非周期的ＣＳＩ報告要求、及び、前記ＳＣＧに対する前記非周期的ＣＳＩ報告要求に基づくＣＳＩ処理の数が５個を超えるとき、５個を超える残りのＣＳＩ処理に対する前記非周期的ＣＳＩは、更新されない、方法。
【請求項２】
前記端末が、前記ＭＣＧに対する前記非周期的ＣＳＩ報告要求、及び、前記ＳＣＧに対する前記非周期的ＣＳＩ報告要求に基づいて、前記ＭＣＧ及び前記ＳＣＧに対する前記非周期的ＣＳＩを報告する能力を、前記非周期的ＣＳＩを報告する前記能力の最大の数まで割り当てるステップをさらに含む、請求項１に記載の方法。
【請求項３】
前記ＭＣＧに対する前記非周期的ＣＳＩ報告要求、及び、前記ＳＣＧに対する前記非周期的ＣＳＩ報告要求は、前記ＭＣＧ及び前記ＳＣＧに対するサブフレームに対してそれぞれ最大１回受信される、請求項１に記載の方法。
【請求項４】
前記ＭＣＧ及び前記ＳＣＧに対する前記非周期的ＣＳＩを報告する前記能力は、上位層により構成される、請求項２に記載の方法。
【請求項５】
前記非周期的ＣＳＩを報告する前記能力は、前記ＭＣＧに対して最初に割り当てられる、請求項４に記載の方法。
【請求項６】
前記非周期的ＣＳＩを報告する前記能力は、前記ＭＣＧ及び前記ＳＣＧに対して交代に割り当てられる、請求項４に記載の方法。
【請求項７】
無線通信システムにおける端末であって、
メモリと、
送受信部と、
前記メモリ及び前記送受信部と結合されるプロセッサと、を備え、
前記プロセッサは、
ＭＣＧ（Master Cell Group）から前記ＭＣＧに対する非周期的ＣＳＩ（Channel State Information）報告要求を受信し、ＳＣＧ（Secondary Cell Group）から前記ＳＣＧに対する非周期的ＣＳＩ報告要求を受信するように前記送受信部を制御し、
前記ＭＣＧに対する前記非周期的ＣＳＩ報告要求、及び、前記ＳＣＧに対する前記非周期的ＣＳＩ報告要求に基づいて、最大５個のＣＳＩ処理に対する前記非周期的ＣＳＩを報告するように前記送受信部を制御するように構成され、
前記端末は、二重接続で前記ＭＣＧ及び前記ＳＣＧの両方に接続され、
前記ＭＣＧに対する前記非周期的ＣＳＩ報告要求、及び、前記ＳＣＧに対する前記非周期的ＣＳＩ報告要求に基づくＣＳＩ処理の数が５個を超えるとき、５個を超える残りのＣＳＩ処理に対する前記非周期的ＣＳＩは、更新されない、端末。
【請求項８】
前記プロセッサは、前記ＭＣＧに対する前記非周期的ＣＳＩ報告要求、及び、前記ＳＣＧに対する前記非周期的ＣＳＩ報告要求に基づいて、前記ＭＣＧ及び前記ＳＣＧに対する前記非周期的ＣＳＩを報告する能力を、前記非周期的ＣＳＩを報告する前記能力の最大の数まで割り当てるようにさらに構成される、請求項７に記載の端末。
【請求項９】
前記ＭＣＧに対する前記非周期的ＣＳＩ報告要求、及び、前記ＳＣＧに対する前記非周期的ＣＳＩ報告要求は、前記ＭＣＧ及び前記ＳＣＧに対するサブフレームに対してそれぞれ最大１回受信される、請求項７に記載の端末。
【発明の詳細な説明】
【技術分野】
【０００１】
本発明は、無線通信に関し、より詳細には、無線通信システムにおける非周期的チャネル状態情報（ＣＳＩ：ｃｈａｎｎｅｌ  ｓｔａｔｅ  ｉｎｆｏｒｍａｔｉｏｎ）を処理する方法及び装置に関する。
【背景技術】
【０００２】
３ＧＰＰ ＬＴＥは、高速パケット通信を可能にするための技術である。ＬＴＥ目標であるユーザと事業者のコスト節減、サービス品質向上、カバレッジ拡張及びシステム容量増大のために多くの方式が提案された。３ＧＰＰ ＬＴＥは、上位レベル必要条件として、ビット当たりコスト節減、サービス有用性向上、周波数バンドの柔軟な使用、簡単な構造、開放型インターフェース及び端末の適切な電力消費を要求する。
【０００３】
低電力ノードは、モバイルトラフィック急増に対処するのに有望なものと考慮される（特に、室内及び室外のホットスポット構築）。低電力ノードは、一般に送信電力がマクロノード及び基地局のような種類の電力より少ないことを意味する。例えば、ピコｅＮＢ（ｅｖｏｌｖｅｄ  ＮｏｄｅＢ）及びフェムトｅＮＢがこれに該当する。Ｅ−ＵＴＲＡ（ｅｖｏｌｖｅｄ  ＵＭＴＳ  ｔｅｒｒｅｓｔｒｉａｌ  ｒａｄｉｏ  ａｃｃｅｓｓ）及びＥ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）のスモールセル向上は、室内及び室外のホットスポット区域で低電力ノードを用いて性能を向上させる追加的な機能性に焦点を当てるであろう。
【０００４】
スモールセル向上のための潜在的な解決策の１つとして、二重接続（二重連結、ｄｕａｌ  ｃｏｎｎｅｃｔｉｖｉｔｙ）が議論されている。二重接続は、与えられた端末が非理想的なバックホール（ｂａｃｋｈａｕｌ）で接続された少なくとも２つの互いに異なるネットワーク地点から提供される無線資源を消費する動作を呼ぶのに使用される。さらに、端末のための二重接続に関与する各ｅＮＢは、互いに異なる役割を仮定できる。その役割は、ｅＮＢの電力等級に依存する必要がなく、端末間で異なる場合がある。
【０００５】
ＵＥは、ネットワークにチャネル状態情報（ＣＳＩ；ｃｈａｎｎｅｌ  ｓｔａｔｅ  ｉｎｆｏｒｍａｔｉｏｎ）を報告できる。下りリンク（ＤＬ；ｄｏｗｎｌｉｎｋ）ＣｏＭＰ（ｃｏｏｒｄｉｎａｔｅｄ  ｍｕｌｔｉ−ｐｏｉｎｔ）に対して、多重送信地点がＤＬデータ送信で調整され得る。ＵＥは、非ゼロ電力ＣＳＩ参照信号（ＲＳ；ｒｅｆｅｒｅｎｃｅ  ｓｉｇｎａｌ）資源の集合のうち、ＣＳＩを測定し、報告するように構成されることができる。ＵＥは、１つ以上の干渉測定で構成されることができる。それぞれの干渉測定は、１つのＣＳＩ−ＩＭ（ｉｎｔｅｒｆｅｒｅｎｃｅ  ｍｅａｓｕｒｅｍｅｎｔ）資源と関連し、これは、ＵＥが干渉を測定するＲＥの集合である。ＵＥは、複数のＣＳＩ処理でさらに構成されることができる。それぞれのＣＳＩ処理は、１つの非ゼロ電力ＣＳＩ−ＲＳ資源及び１つのＣＳＩ−ＩＭ資源と関連したＣＳＩ測定を定義する。上りリンク（ＵＬ；ｕｐｌｉｎｋ）ＣｏＭＰに対して、多重受信地点は、上りリンクデータ受信で調整される。
【０００６】
二重接続が構成される場合、ＣＳＩを効率的に処理する方法が要求され得る。
【発明の概要】
【発明が解決しようとする課題】
【０００７】
本発明は、無線通信システムにおける非周期的チャネル状態情報（ＣＳＩ：ｃｈａｎｎｅｌ  ｓｔａｔｅ  ｉｎｆｏｒｍａｔｉｏｎ）を処理する方法及び装置を提供する。本発明は、端末（ＵＥ；ｕｓｅｒ  ｅｑｕｉｐｍｅｎｔ）が二重接続及びＣｏＭＰ（ｃｏｏｒｄｉｎａｔｅｄ  ｍｕｌｔｉ−ｐｏｉｎｔ）動作で構成される場合に、ＣＳＩ能力を分割するための方法を提供する。
【課題を解決するための手段】
【０００８】
一態様において、無線通信システムにおける端末（ＵＥ；ｕｓｅｒ  ｅｑｕｉｐｍｅｎｔ）による非周期的チャネル状態情報（ＣＳＩ；ｃｈａｎｎｅｌ  ｓｔａｔｅ  ｉｎｆｏｒｍａｔｉｏｎ）を処理する方法が提供される。前記方法は、非周期的ＣＳＩ報告に対する要求を受信し、及び二重接続（ｄｕａｌ  ｃｏｎｎｅｃｔｉｖｉｔｙ）でＭｅＮＢ（ｍａｓｔｅｒ  ｅｖｏｌｖｅｄ  ＮｏｄｅＢ）及びＳｅＮＢ（ｓｅｃｏｎｄａｒｙ  ｅＮＢ）に対する前記非周期的ＣＳＩ報告の能力を割り当てることを含む。
【０００９】
他の態様において、無線通信システムでの端末（ＵＥ；ｕｓｅｒ  ｅｑｕｉｐｍｅｎｔ）が提供される。前記端末は、メモリ、送受信部、及び前記メモリ及び前記送受信部と結合されるプロセッサを備え、前記プロセッサは、非周期的ＣＳＩ報告に対する要求を受信し、及び二重接続（ｄｕａｌ  ｃｏｎｎｅｃｔｉｖｉｔｙ）でＭｅＮＢ（ｍａｓｔｅｒ  ｅｖｏｌｖｅｄ  ＮｏｄｅＢ）及びＳｅＮＢ（ｓｅｃｏｎｄａｒｙ  ｅＮＢ）に対する前記非周期的ＣＳＩ報告の能力を割り当てるように構成される。
【発明の効果】
【００１０】
二重接続が構成された場合に、非周期的ＣＳＩが効率的に割り当てられ、送信されることができる。
【図面の簡単な説明】
【００１１】
【図１】無線通信システムを示す。
【図２】３ＧＰＰ  ＬＴＥの無線フレームの構造を示す。
【図３】１つのＤＬスロットに対する資源グリッド（ｒｅｓｏｕｒｃｅ  ｇｒｉｄ）を示す。
【図４】ＤＬサブフレームの構造を示す。
【図５】ＵＬサブフレームの構造を示す。
【図６】二重接続のためのノード間無線資源アグリゲーション（集成）を図示する。
【図７】本発明の一実施形態に係る非周期的ＣＳＩを処理する方法の一例を示す。
【図８】本発明の実施形態が実現される無線通信システムを示す。
【発明を実施するための形態】
【００１２】
以下において説明される技術、装置、及びシステムは、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような種々の無線通信システムに使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）として実現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術として実現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術として実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、下りリンク（ＤＬ；ｄｏｗｎ  ｌｉｎｋ）でＯＦＤＭＡを採用し、上りリンク（ＵＬ；ｕｐｌｉｎｋ）でＳＣ−ＦＤＭＡを採用する。ＬＴＥ−Ａ（ａｄｖａｎｃｅｄ）は、３ＧＰＰ  ＬＴＥの進化である。説明を明確にするために、本明細書は、３ＧＰＰ  ＬＴＥ／ＬＴＥ−Ａに焦点を合わせる。しかし、本発明の技術的特徴がこれに制限されるものではない。
【００１３】
図１は、無線通信システムを示す。無線通信システム１０は、少なくとも１つのｅＮＢ（１１；ｅｖｏｌｖｅｄ  ＮｏｄｅＢ）を含む。各ｅＮＢ（１１）は、特定の地理的領域（一般に、セルという）１５ａ、１５ｂ、１５ｃに対して通信サービスを提供する。各セルは、さらに複数の領域（セクタという）に分けられることができる。端末（１２；ＵＥ；ｕｓｅｒ  ｅｑｕｉｐｍｅｎｔ）は、固定されるか、移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。ｅＮＢ（１１）は一般に、ＵＥ（１２）と通信する固定局をいい、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることができる。
【００１４】
ＵＥは、通常１つのセルに属するが、ＵＥが属したセルをサービングセル（ｓｅｒｖｉｎｇ  ｃｅｌｌ）という。サービングセルに対して通信サービスを提供するｅＮＢをサービングｅＮＢという。無線通信システムは、セルラーシステムであるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するｅＮＢを隣接ｅＮＢという。サービングセル及び隣接セルは、ＵＥを基準として相対的に決定される。
【００１５】
この技術は、ＤＬまたはＵＬに使用されることができる。一般に、ＤＬは、ｅＮＢ（１１）からＵＥ（１２）への通信を意味し、ＵＬは、ＵＥ（１２）からｅＮＢ（１１）への通信を意味する。ＤＬにおいて送信機は、ｅＮＢ（１１）の一部であり、受信機は、ＵＥ（１２）の一部でありうる。ＵＬにおいて送信機は、ＵＥ（１２）の一部であり、受信機は、ｅＮＢ（１１）の一部でありうる。
【００１６】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか１つでありうる。ＭＩＭＯシステムは、複数の送信アンテナと複数の受信アンテナを使用する。ＭＩＳＯシステムは、複数の送信アンテナと１つの受信アンテナを使用する。ＳＩＳＯシステムは、１つの送信アンテナと１つの受信アンテナを使用する。ＳＩＭＯシステムは、１つの送信アンテナと複数の受信アンテナを使用する。以下において、送信アンテナは、１つの信号またはストリームを送信するのに使用される物理的または論理的アンテナを意味し、受信アンテナは、１つの信号またはストリームを受信するのに使用される物理的または論理的アンテナを意味する。
【００１７】
図２は、３ＧＰＰ  ＬＴＥの無線フレームの構造を示す。図２に示すように、無線フレームは、１０個のサブフレームを含む。サブフレームは、時間領域で２個のスロットを含む。１つのサブフレームを送信するのにかかる時間は、ＴＴＩ（ｔｒａｎｓｍｉｓｓｉｏｎ  ｔｉｍｅ  ｉｎｔｅｒｖａｌ）として定義される。例えば、１つのサブフレームの長さは１ｍｓでありうるし、１つのスロットの長さは０．５ｍｓでありうる。１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥがＤＬでＯＦＤＭＡを使用するので、ＯＦＤＭシンボルは、１つのシンボル区間を表現するためのものである。ＯＦＤＭシンボルは、多重アクセス方式によって他の名称と呼ばれることができる。例えば、ＵＬ多重アクセス方式としてＳＣ−ＦＤＭＡが使用される場合、ＳＣ−ＦＤＭＡシンボルということができる。資源ブロック（ＲＢ；ｒｅｓｏｕｒｃｅ  ｂｌｏｃｋ）は、資源割当単位であって、１つのスロットで複数の連続する副搬送波を含む。前記無線フレームの構造は、一例に過ぎないものである。したがって、無線フレームに含まれるサブフレームの個数やサブフレームに含まれるスロットの個数、またはスロットに含まれるＯＦＤＭシンボルの個数は様々に変更されることができる。
【００１８】
無線通信システムは、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに大別することができる。ＦＤＤ方式によれば、ＵＬ送信とＤＬ送信とが互いに異なる周波数帯域を占めながらなされる。ＴＤＤ方式によれば、ＵＬ送信とＤＬ送信とが同じ周波数帯域を占めながら互いに異なる時間になされる。ＴＤＤ方式のチャネル応答は、実質的に相互的（ｒｅｃｉｐｒｏｃａｌ）である。これは、与えられた周波数領域でＤＬチャネル応答とＵＬチャネル応答とがほとんど同一であるということである。したがって、ＴＤＤに基づく無線通信システムでＤＬチャネル応答は、ＵＬチャネル応答から得られることができるという長所がある。ＴＤＤ方式は、全体周波数帯域をＵＬ送信とＤＬ送信のために時分割するので、ＢＳによるＤＬ送信とＵＥによるＵＬ送信とが同時に行われることができない。ＵＬ送信とＤＬ送信とがサブフレーム単位に区分されるＴＤＤシステムにおいて、ＵＬ送信とＤＬ送信とは互いに異なるサブフレームで行われる。
【００１９】
図３は、１つのＤＬスロットに対する資源グリッド（ｒｅｓｏｕｒｃｅ  ｇｒｉｄ）を示す。図３に示すように、ＤＬスロットは、時間領域で複数のＯＦＤＭシンボルを含む。ここで、１つのＤＬスロットは、７ＯＦＤＭシンボルを含み、１つのＲＢは、周波数領域で１２副搬送波を含むことを例示的に記述するが、これに制限されるものではない。資源グリッド上の各要素を資源要素（ｒｅｓｏｕｒｃｅ  ｅｌｅｍｅｎｔ）という。１つのＲＢは、７×１２資源要素を含む。ＤＬスロットに含まれる資源ブロックの数ＮDLは、ＤＬ送信帯域幅に従属する。ＵＬスロットの構造もＤＬスロットの構造と同様でありうる。ＯＦＤＭシンボルの数と副搬送波の数とは、ＣＰの長さ、周波数間隔などによって様々に変更されることができる。例えば、ノーマルＣＰの場合、ＯＦＤＭシンボルの数は７であり、拡張ＣＰの場合、ＯＦＤＭシンボルの数は６である。１つのＯＦＤＭシンボルで副搬送波の数は１２８、２５６、５１２、１０２４、１５３６、及び２０４８のうちの１つを選定して使用することができる。
【００２０】
図４は、ＤＬサブフレームの構造を示す。図４に示すように、サブフレーム内の１番目のスロットの前方部の最大３ＯＦＤＭシンボルは、制御チャネルが割り当てられる制御領域である。残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域に対応する。３ＧＰＰ  ＬＴＥで使用されるＤＬ制御チャネルの例として、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）、ＰＨＩＣＨ（ｐｈｙｓｉｃａｌ  ＨＡＲＱ  ｉｎｄｉｃａｔｏｒ  ｃｈａｎｎｅｌ）などを含む。ＰＣＦＩＣＨは、サブフレームの１番目のＯＦＤＭシンボルで送信され、サブフレーム内で制御チャネルの送信に使用されるＯＦＤＭシンボルの個数と関連した情報を運ぶ。ＰＨＩＣＨは、ＵＬ送信に対する応答であり、ＨＡＲＱ（ｈｙｂｒｉｄ  ａｕｔｏｍａｔｉｃ  ｒｅｐｅａｔ  ｒｅｑｕｅｓｔ）  ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）信号を運ぶ。ＰＤＣＣＨを介して送信される制御情報は、ＤＣＩ（ｄｏｗｎｌｉｎｋ  ｃｏｎｔｒｏｌ  ｉｎｆｏｒｍａｔｉｏｎ）である。ＤＣＩは、ＵＬまたはＤＬスケジューリング情報、若しくは任意のＵＥグループのためのＵＬ送信電力制御（ＴＰＣ；ｔｒａｎｓｍｉｔ  ｐｏｗｅｒ  ｃｏｎｔｒｏｌ）命令を含む。
【００２１】
ＰＤＣＣＨは、ＤＬ−ＳＣＨ（ｄｏｗｎｌｉｎｋ−ｓｈａｒｅｄ  ｃｈａｎｎｅｌ）の資源割当及び送信フォーマット、ＵＬ−ＳＣＨ（ｕｐｌｉｎｋ  ｓｈａｒｅｄ  ｃｈａｎｎｅｌ）の資源割当情報、ページングチャネル上のページング情報、ＤＬ−ＳＣＨ上のシステム情報、ＰＤＳＣＨ上に送信されるランダムアクセス応答のような上位層制御メッセージの資源割当、任意のＵＥグループ内の個別ＵＥに対するＴＰＣ命令の集合及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で送信され得る。ＵＥは、複数のＰＤＣＣＨをモニタリングできる。ＰＤＣＣＨは、１つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に送信される。ＣＣＥは、無線チャネルの状態による符号化率を有するＰＤＣＣＨを提供するために使用される論理的割当単位である。ＣＣＥは、複数のＲＥＧ（ｒｅｓｏｕｒｃｅ  ｅｌｅｍｅｎｔ  ｇｒｏｕｐ）に対応する。
【００２２】
ＣＣＥの数とＣＣＥにより提供される符号化率との間の相互関係によってＰＤＣＣＨのフォーマット及び可能なＰＤＣＣＨのビット数が決定される。ＢＳは、ＵＥに送信しようとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を添付する。ＣＲＣは、ＰＤＣＣＨの所有者（ｏｗｎｅｒ）や用途に応じて固有の識別子（ＲＮＴＩ；ｒａｄｉｏ  ｎｅｔｗｏｒｋ  ｔｅｍｐｏｒａｒｙ  ｉｄｅｎｔｉｆｉｅｒ）によってスクランブルされる。特定ＵＥのためのＰＤＣＣＨであれば、ＵＥの固有識別子、例えば、Ｃ−ＲＮＴＩ（ｃｅｌｌ−ＲＮＴＩ）がＣＲＣにスクランブルされ得る。または、ページングメッセージのためのＰＤＣＣＨであれば、ページング指示識別子、例えば、Ｐ−ＲＮＴＩ（ｐａｇｉｎｇ−ＲＮＴＩ）がＣＲＣにスクランブルされ得る。システム情報のためのＰＤＣＣＨであれば、ＳＩ−ＲＮＴＩ（ｓｙｓｔｅｍ  ｉｎｆｏｒｍａｔｉｏｎ−ＲＮＴＩ）がＣＲＣにスクランブルされ得る。ＵＥのランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにスクランブルされ得る。
【００２３】
図５は、ＵＬサブフレームの構造を示す。図５に示すように、ＵＬサブフレームは、周波数領域で制御領域とデータ領域とに分けられることができる。制御領域は、ＵＬ制御情報が送信されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。データ領域は、ユーザデータが送信されるためのＰＵＳＣＨ（ｐｈｙｓｉｃａｌ  ｕｐｌｉｎｋ  ｓｈａｒｅｄ  ｃｈａｎｎｅｌ）が割り当てられる。上位層で指示される場合、ＵＥは、ＰＵＳＣＨとＰＵＣＣＨの同時送信をサポートできる。１つのＵＥに対するＰＵＣＣＨは、サブフレームで資源ブロックペア（ＲＢ  ｐａｉｒ）に割り当てられる。ＲＢペアに属する資源ブロックは、第１のスロットと第２のスロットの各々で互いに異なる副搬送波を占める。これをＰＵＣＣＨに割り当てられるＲＢペアがスロット境界で周波数ホッピング（ｆｒｅｑｕｅｎｃｙ−ｈｏｐｐｅｄ）されたという。ＵＥは、時間によってＵＬ制御情報を互いに異なる副搬送波を介して送信することにより、周波数ダイバーシティ利得を得ることができる。
【００２４】
ＰＵＣＣＨ上に送信されるＵＬ制御情報は、ＨＡＲＱ  ＡＣＫ／ＮＡＣＫ、ＤＬチャネル状態を表すＣＱＩ（ｃｈａｎｎｅｌ  ｑｕａｌｉｔｙ  ｉｎｄｉｃａｔｏｒ）、ＳＲ（ｓｃｈｅｄｕｌｉｎｇ  ｒｅｑｕｅｓｔ）などを含むことができる。ＰＵＳＣＨは、送信チャネルであるＵＬ−ＳＣＨにマッピングされる。ＰＵＳＣＨ上に送信されるＵＬデータは、ＴＴＩの間に送信されるＵＬ−ＳＣＨのためのデータブロックである送信ブロックでありうる。送信ブロックは、ユーザ情報でありうる。または、ＵＬデータは、多重化された（ｍｕｌｔｉｐｌｅｘｅｄ）データでありうる。多重化されたデータは、ＵＬ−ＳＣＨのための送信ブロックと制御情報とが多重化して得られたデータでありうる。例えば、データに多重化される制御情報は、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などを含むことができる。または、ＵＬデータは、制御情報のみで構成されることもできる。
【００２５】
チャネル状態情報（ＣＳＩ；ｃｈａｎｎｅｌ  ｓｔａｔｅ  ｉｎｆｏｒｍａｔｉｏｎ）を報告するためのＵＥ手順が開示される。これは、３ＧＰＰ  ＴＳ  ３６．２１３  Ｖ１２．１．０（２０１４−０３）の７．２節が参照され得る。ＣＱＩ、ＰＭＩ、ＰＴＩ（ｐｒｅｃｏｄｉｎｇ  ｔｙｐｅ  ｉｎｄｉｃａｔｏｒ）、及び／又はＲＩを含むＣＳＩを報告するために、ＵＥにより使用され得る時間と周波数資源は、ｅＮＢにより制御される。
【００２６】
送信モード１０にあるＵＥは、上位層によりサービングセル別に１つ以上のＣＳＩ処理で構成されることができる。それぞれのＣＳＩ処理は、ＣＳＩ−ＲＳ資源とＣＳＩ−ＩＭ（ｉｎｔｅｒｆｅｒｅｎｃｅ  ｍｅａｓｕｒｅｍｅｎｔ）資源と関連する。ＵＥにより報告されるＣＳＩは、上位層に構成されるＣＳＩ処理に対応する。それぞれのＣＳＩ処理は、上位層シグナリングによるＰＭＩ／ＲＩ報告で、またはＰＭＩ／ＲＩ報告無しで構成されることができる。サブフレーム集合ＣCSI、0及びＣCSI、1が上位層により構成されるならば、ＵＥは、資源制約されたＣＳＩ測定で構成される。ＣＳＩ報告は、周期的であるか、または非周期的である。ＵＥが１つのサービングセルより多いセルで構成されるならば、ＵＥは、活性化されたサービングセル（等）に対してのみＣＳＩを送信する。特定条件が満たされれば、ＵＥは、非周期的ＣＳＩ報告を送信しなければならない。非周期的ＣＱＩ／ＰＭＩ報告に対して、構成されたＣＳＩフィードバック類型がＲＩ報告をサポートする場合にのみＲＩ報告が送信される。周期的及び非周期的ＣＳＩ報告が共に同じサブフレームで発生するようになる場合、ＵＥは、サブフレームで非周期的ＣＳＩ報告のみを送信しなければならない。
【００２７】
表１は、送信モードの例を示す。
【００２８】
【表１】
0006580591.tif 000002
【００２９】
ＰＵＳＣＨを用いる非周期的ＣＳＩが開示される。これは、３ＧＰＰ  ＴＳ  ３６．２１３  Ｖ１２．１．０（２０１４−０３）の７．２．１節が参照され得る。それぞれのＣＳＩ要求フィールドが報告をトリガリングし、予約されなかった場合、サービングセルｃに対してサブフレームｎで上りリンクＤＣＩフォーマットまたはランダムアクセス応答承認をデコードするとき、ＵＥは、サービングセルｃ上のサブフレームｎ＋ｋでＰＵＳＣＨを用いて非周期的ＣＳＩ報告を行わなければならない。
【００３０】
前記ＣＳＩ要求フィールドが１ビットであり、ＵＥが送信モード１−９で構成される場合、前記ＣＳＩ要求フィールドが「１」に設定されれば、サービングセルｃに対して報告がトリガリングされる。前記ＣＳＩ要求フィールドが１ビットであり、ＵＥが送信モード１０で構成される場合、前記ＣＳＩ要求フィールドが「１」に設定されれば、下記の表３でのＣＳＩ要求フィールドの値「０１」と関連した上位層に構成されるＣＳＩ処理（等）の集合に対応するサービングセルｃに対してＣＳＩ処理（等）の集合に対する報告がトリガリングされる。
【００３１】
前記ＣＳＩ要求フィールドサイズが２ビットであり、ＵＥが全てのサービングセルに対して送信モード１−９で構成されるならば、非周期的ＣＳＩ報告に対応する下記の表２での値に応じて報告がトリガリングされる。前記ＣＳＩ要求フィールドサイズが２ビットであり、ＵＥが少なくても１つのサービングセルに対して送信モード１０で構成されるならば、非周期的ＣＳＩ報告に対応する下記の表３での値に応じて報告がトリガリングされる。与えられたサービングセルに対して、ＵＥが送信モード１−９で構成される場合、表３でのＣＳＩ処理は、与えられたサービングセル上で元のＵＥに対して構成される非周期的ＣＳＩを指す。ＵＥは、下記の表３において、第１及び第２のＣＳＩ処理（等）の集合の各々で５個以上のＣＳＩ処理で上位層により構成されるように期待されない。
【００３２】
【表２】
0006580591.tif 000003
【００３３】
【表３】
0006580591.tif 000004
【００３４】
ＵＥは、与えられたサブフレームに対して１つより多い非周期的ＣＳＩ報告要求を受信するように期待されない。ＵＥがサービングセルに対して１つより多いＣＳＩ処理で構成されるならば、上記の表３によってＣＳＩ報告をトリガリングする非周期的ＣＳＩ報告要求の受信時に、ＵＥがサービングセルに対して他の非周期的ＣＳＩ要求と関連したＮu個の報告されなかったＣＳＩ処理を有する場合に、要求と関連したサービングセルに対してインデックスが最も小さいｍａｘ（Ｎx−Ｎu、０）個のＣＳＩ処理を除き、全てのＣＳＩ処理に対してＣＳＩ参照資源に対応するＣＳＩをアップデートするように期待されない。ＣＳＩ要求と関連したＣＳＩ処理は、対応するＣＳＩを運ぶＰＵＳＣＨが送信されるサブフレーム以前のサブフレームでは報告されなかったものとカウントされなければならない。ＮCSI-Pは、サービングセルに対してＵＥによりサポートされるＣＳＩ処理の最大個数である。ＦＤＤに対して、Ｎx＝ＮCSI-Pである。ＴＤＤに対して、ＵＥは、サービングセルに対して４個のＣＳＩ処理で構成されるならば、Ｎx＝ＮCSI-Pであり、ＵＥがサービングセルに対して２個または３個のＣＳＩ処理で構成されるならば、Ｎx＝３である。１つより多いＮCSI-Pの値がＵＥ−ＥＵＴＲＡ−Ｃａｐａｂｉｌｉｔｙに含まれるならば、ＵＥは、自分のＣＳＩ処理構成と一致するＮCSI-Pの値を仮定する。１つより多い、一致するＮCSI-Pの値が存在する場合、ＵＥは、一致する値のうち、任意の１つを仮定できる。
【００３５】
二重接続（ｄｕａｌ  ｃｏｎｎｅｃｔｉｖｉｔｙ）が開示される。二重接続は、与えられたＵＥがＲＲＣ＿ＣＯＮＮＥＣＴＥＤにある間に、非理想的バックホールで接続される少なくとも２つの相違したネットワーク地点（ＭｅＮＢ（ｍａｓｔｅｒ  ｅＮＢ）とＳｅＮＢ（ｓｅｃｏｎｄａｒｙ  ｅＮＢ））により提供される無線資源を消費する動作である。すなわち、ＵＥは、二重接続により２つの種類のサービスを受信する。サービスのうちの１つは、ＭｅＮＢから直接受信される。ＭｅＮＢは、少なくともＳ１−ＭＭＥで終端されるｅＮＢであるから、二重接続でコアネットワーク（ＣＮ）に向かった移動性アンカーとして動作する。他のサービスは、ＳｅＮＢから受信される。ＳｅＮＢは、ＵＥに対して付加的な無線資源を提供する、ＭｅＮＢでないｅＮＢである。また、ｅＮＢの負荷状態またはＵＥの要求事項によってサービスはＭｅＮＢ及びＳｅＮＢ間で移動されることができる。ＭＣＧ（ｍａｓｔｅｒ  ｃｅｌｌ  ｇｒｏｕｐ）は、ＭｅＮＢと関連したサービングセルのグループを指し、ＰＣｅｌｌ（ｐｒｉｍａｒｙ  ｃｅｌｌ）と選択的に１つ以上のＳＣｅｌｌ（ｓｅｃｏｎｄａｒｙ  ｃｅｌｌ）を含む。ＳＣＧ（ｓｅｃｏｎｄａｒｙ  ｃｅｌｌ  ｇｒｏｕｐ）は、ＳｅＮＢと関連したサービングセルのグループを指し、ＰＳＣｅｌｌ（ｐｒｉｍａｒｙ  ＳＣｅｌｌ）と選択的に１つ以上のＳＣｅｌｌを含む。
【００３６】
図６は、二重接続のためのノード間無線資源アグリゲーションを図示する。図６に示すように、二重接続のためのノード間無線資源アグリゲーションは、ユーザ当たり処理量（ｔｈｒｏｕｇｈｐｕｔ）を向上させるための可能な解法である。これは、ユーザ平面データ送信のために、１つより多いｅＮＢで無線資源をアグリゲーションして行われることができる。このような解法の実現に依存して、マクロセルで移動性アンカーを維持することにより、ＣＮに向かったシグナリングオーバーヘッドが潜在的に節約され得る。
【００３７】
前述されたように、ＵＥが制限された非周期的ＣＳＩ報告能力を有するので、二重接続が構成される場合、非周期的ＣＳＩ報告能力を分割する方法を考慮することが必要でありうる。より詳細には、ＵＥ能力の観点で、ＵＥは、帯域及び／又は帯域組み合わせ別に非周期的ＣＳＩを報告できる。しかし、非周期的ＣＳＩ報告の能力を処理する観点でＵＥ複雑度を制限するために、ＵＥは、１つのサブフレームで非周期的ＣＳＩ報告の最大個数（５個）の分だけを報告できる。
【００３８】
ＵＥがＣｏＭＰ動作で構成されない場合、二重接続でアグリゲーションされる搬送波の最大個数は５を越えない場合があるので、二重接続でも非周期的ＣＳＩ処理の最大個数は、非周期的ＣＳＩ報告の処理能力を超過しないことができる。しかし、与えられたサブフレームに対してＵＥが１つより多い非周期的ＣＳＩ報告要求、すなわち、ＭｅＮＢから１つとＳｅＮＢから残りの１つを受信することが可能である。したがって、二重接続において、ＵＥは、搬送波グループ別に与えられたサブフレームに対して１つより多い非周期的ＣＳＩ報告要求を受信することが期待されない場合がある（すなわち、ＭＣＧ及びＳＣＧ、各々に対して最大１つ）。
【００３９】
また、ＵＥがサービングセルで送信モード１０として構成される場合、ＵＥは、上記の表３での第１及び第２のＣＳＩ処理（等）集合の各々で５個より多いＣＳＩ処理で上位層により構成されることが期待されない。ＭＣＧ及びＳＣＧにおいてＣｏＭＰ構成によって、ＵＥが二重接続で構成される場合（すなわち、ＭＣＧ及びＳＣＧの両方に接続される場合）、ＵＥは、上記の表２での第１及び第２のサービングセル集合または上記の表３での第１または第２のＣＳＩ処理（等）集合で４個より多いＣＳＩ処理で上位層により構成されるように期待されない場合がある。
【００４０】
ＵＥが非周期的ＣＳＩ報告の制限された処理能力を有するので（例えば、非周期的ＣＳＩの最大報告は５）、１つのサブフレーム内で要求される最大非周期的報告が維持されるように、ＭｅＮＢ及びＳｅＮＢが非周期的ＣＳＩ報告の処理能力を分割する方法を調整することが必要である。このような調整がない場合、ＵＥ複雑度が相当増加したり、またはＵＥは、特定非周期的ＣＳＩ要求を除外（ｄｒｏｐ）／無視しなければならない（すなわち、自分の能力内で最大個数の非周期的ＣＳＩ処理のみを行う）。いずれの場合もＵＥコストまたはｅＮＢ側でのＣＳＩフィードバックの曖昧性が増加するため、望ましくない（したがって、非周期的ＣＳＩフィードバックがそれほど有用でない場合がある）。
【００４１】
下記では、本発明の一実施形態に係る非周期的ＣＳＩ報告の処理能力を分割する方法が記述される。本発明の一実施形態によれば、特定の調整に基づいて、ＭｅＮＢ及びＳｅＮＢ間に非周期的ＣＳＩ報告の最大個数が半静的に（ｓｅｍｉ−ｓｔａｔｉｃａｌｌｙ）分けられることができる。非周期的ＣＳＩ報告の最大個数を分割することに関する情報がＭｅＮＢ及びＳｅＮＢ間にＸ２インターフェースを介して交換され得る。例えば、ＭｅＮＢは、３個の非周期的ＣＳＩ報告で割り当てられることができ、それに対し、ＳｅＮＢは、２個の非周期的ＣＳＩ報告で割り当てられることができる。すなわち、ｍがＭｅＮＢに割り当てられる非周期的ＣＳＩの個数であると仮定すれば、５−ｍは、ＳｅＮＢに割り当てられる非周期的ＣＳＩの個数でありうる。
【００４２】
ＭｅＮＢに割り当てられる非周期的ＣＳＩの個数、すなわち、ｍは、上位層シグナリングによりＵＥに構成されることができる。すなわち、ＵＥは、ＭＣＧに対して上記の表３において第１または第２のＣＳＩ処理（等）の集合若しくは上記の表２において第１または第２のサービングセルの集合でｍ個より多いＣＳＩ処理で上位層により構成されるように期待されない場合がある。また、ＵＥは、ＳＣＧに対して上記の表３において第１または第２のＣＳＩ処理（等）の集合若しくは上記の表２において第１または第２のサービングセルの集合で５−ｍ個より多いＣＳＩ処理で上位層により構成されるように期待されない場合がある。
【００４３】
代わりに、ｍは、ｅＮＢの間のみで調整されることができ、ＵＥに知られない場合がある。このような場合、ＵＥは、次のある集合で５個より多いＣＳＩ処理で上位層により構成されるように期待されない場合がある：
【００４４】
（１）（上記の表２にしたがう）第１のサービングセル集合＋（上記の表３にしたがう）第１のＣＳＩ処理集合。
【００４５】
（２）（上記の表２にしたがう）第１のサービングセル集合＋（上記の表３にしたがう）第２のＣＳＩ処理集合。
【００４６】
（３）（上記の表２にしたがう）第２のサービングセル集合＋（上記の表３にしたがう）第１のＣＳＩ処理集合。
【００４７】
（４）（上記の表２にしたがう）第２のサービングセル集合＋（上記の表３にしたがう）第２のＣＳＩ処理集合。
【００４８】
（５）（上記の表３にしたがう）第１のＣＳＩ処理集合＋（上記の表３にしたがう）第１のＣＳＩ処理集合。
【００４９】
（６）（上記の表３にしたがう）第１のＣＳＩ処理集合＋（上記の表３にしたがう）第２のＣＳＩ処理集合。
【００５０】
（７）（上記の表３にしたがう）第２のＣＳＩ処理集合＋（上記の表３にしたがう）第２のＣＳＩ処理集合。
【００５１】
向上した干渉管理及びトラフィック適応（ｅＩＭＴＡ；ｅｎｈａｎｃｅｄ  ｉｎｔｅｒｆｅｒｅｎｃｅ  ｍａｎａｇｅｍｅｎｔ  ａｎｄ  ｔｒａｆｆｉｃ  ａｄａｐｔａｔｉｏｎ）を用いて、第１及び第２のＣＳＩ処理（等）グループが導入されるならば、ＭｅＮＢからの任意の集合／グループとＳｅＮＢからの任意の集合／グループとの合計は、ＵＥ能力を超過してはならない。
【００５２】
以下、本発明の一実施形態に係る非周期的ＣＳＩを処理する方法が記述される。ＵＥが自分の能力／処理制限よりさらに非周期的ＣＳＩ報告を報告するように要求される場合に、ＵＥの能力を割り当てるために、ＵＥは、自分の能力をＭｅＮＢ（または、代わりにＳｅＮＢ）に先に割り当てることができる。例えば、４個のＣＳＩ報告がＭｅＮＢに対して要求されるならば、単に１つの報告がＳｅＮＢに対して処理され得る。ＣＧ内において、ＳＣｅｌｌインデックスがＣＳＩ報告／処理を優先順位づけする、または選択するのに使用され得る。例えば、ＳＣＧが単に１つの非周期的ＣＳＩ処理能力を有し、指示されたＣＳＩがＳＣｅｌｌインデックス＝１及び２に関するものであれば、ＳＣｅｌｌインデックス＝１に対する非周期的ＣＳＩが行われ得る。複数の非周期的ＣＳＩ処理がセルと関連するならば、優先順位づけのために、ＣＳＩ処理ＩＤがさらに使用され得る。報告の観点で、自分の処理能力制限に起因して処理され得ない非周期的ＣＳＩ処理に対して、ＵＥは、利用可能であれば、効力がない（ｓｔａｌｅ）データを報告できる。さもなければ、ＵＥは、範囲外（ＯＯＲ；ｏｕｔ  ｏｆ  ｒａｎｇｅ）または「０」を送信できる。代わりに、ＵＥは、ＭｅＮＢ（または、代わりにＳｅＮＢ）から始めて、交代（ｔａｋｅ−ｔｕｒｎ）方式でＭｅＮＢ／ＳｅＮＢに自分の能力を割り当てることができる。全処理能力が消費されるまで、１回に１つずつ割り当てて、ＭＣＧ及びＳＣＧに対して５個までの処理能力が非周期的ＣＳＩ処理／セルに割り当てられ得る。ＣＧ内での優先順位づけの観点で、ＳＣｅｌｌインデックス（ＰＣｅｌｌ／ＰＳＣｅｌｌが最も高い優先順位を有する）とＣＳＩ処理ＩＤとが使用され得る。
【００５３】
非周期的ＣＳＩの送信のために、ＵＥが処理能力制限に起因して要求された非周期的ＣＳＩを処理できなければ、データがスケジューリングされないか、またはＨＡＲＱ−ＡＣＫピギーバック（ｐｉｇｇｙｂａｃｋ）されなかった場合（すなわち、データ／ＨＡＲＱ−ＡＣＫがないＰＵＳＣＨ）、ＵＥは、非周期的ＣＳＩ報告を除外できる。または、ＵＥが処理能力制限に起因して要求された非周期的ＣＳＩを処理できず、データがさらにスケジューリングされた場合（すなわち、データを有するＰＵＳＣＨ）、非周期的ＣＳＩは、ＰＵＳＣＨから省略され（ｏｍｉｔｔｅｄ）、データを有するＰＵＳＣＨと（もしあるなら）ＨＡＲＱ−ＡＣＫが送信される。このような場合に、ｅＮＢは、ＣＳＩを有するまたはＣＳＩを有さないＰＵＳＣＨをランダムに検出する必要がありうる。このような場合が発生したとき、電力制限された場合での優先順位は、ＣＳＩを有するＰＵＳＣＨと同一でなければならない。ＣＳＩがないことを仮定してＰＵＳＣＨ電力が決定され得る。または、ＵＥが処理能力制限に起因して要求された非周期的ＣＳＩを処理できなければ、ＵＥは、ゼロ（「０」）で非周期的ＣＳＩを満たすか、または、ＵＥはＯＯＲを報告し、ＰＵＳＣＨを送信できる。優先順位及び電力の観点で、これは、ＣＳＩ（と、もしあるなら、ＨＡＲＱ−ＡＣＫ）を有するＰＵＳＣＨにしたがう。または、ＵＥが処理能力制限に起因して要求された非周期的ＣＳＩを処理できなければ、ＵＥは、利用可能であれば、効力がない非周期的ＣＳＩを使用できる。すなわち、ＵＥは、ＵＥ処理能力に起因して優先順位づけされない非周期的ＣＳＩ処理上にＣＳＩ結果をアップデートしないことができる。効力がない非周期的ＣＳＩが利用可能でなければ、非周期的ＣＳＩ報告（等）を除く代わりに、ＵＥはＯＯＲまたはゼロ（「０」）を送信できる。
【００５４】
代わりに、前記能力を共有するために、ＭＣＧ及びＳＣＧは、非周期的ＣＳＩ報告がそれぞれのＭＣＧ及びＳＣＧに対してサブフレームのサブセット内で個別的に（または、ＭＣＧまたはＳＣＧのうち、１つに対してのみ）送信されることができるＴＤＭ（ｔｉｍｅ  ｄｉｖｉｓｉｏｎ  ｍｕｌｔｉｐｌｅｘｉｎｇ）アプローチを活用できる。それぞれのＣＧに対して構成されたこのようなサブフレームで、前記ＣＧの搬送波上への非周期的ＣＳＩ報告が優先順位を有して報告されることができる。一例は、ＳＣＧがＴＤＤで動作する場合に、ＳＣＧの上りリンクサブフレームは、ＳＣＧに対する非周期的ＣＳＩを報告できることに対し、他のサブフレームで、ＭＣＧがＦＤＤで動作する場合に、ＵＥは、ＭＣＧに対する非周期的ＣＳＩを報告できる。前記構成は、暗黙的にまたは明示的に構成されることができる。暗黙的に構成される場合、ＴＤＤ上りリンクは、より高い優先順位を有することができる。言い換えれば、ＴＤＤ上りリンクに対する非周期的ＣＳＩトリガリングは、ＦＤＤ上りリンクに対する非周期的ＣＳＩトリガリングに比べてより高い優先順位を有することができる。これは、非周期的ＣＳＩ要求がＦＤＤに対して他のサブフレームでトリガリングされることができるためである。
【００５５】
ゼロ電力ＣＳＩ−ＲＳ構成またはＣＳＩ−ＩＭ観点で、このような制約は、単にＣＧ内のみで適用されることができる。言い換えれば、２つのＣＧ間に関連性はない。
【００５６】
図７は、本発明の一実施形態に係る非周期的ＣＳＩを処理する方法の一例を示す。ステップＳ１００においてＵＥは、非周期的ＣＳＩ報告に対する要求を受信する。ステップＳ１１０において前記ＵＥは、二重接続でＭｅＮＢ及びＳｅＮＢに対して前記非周期的ＣＳＩ報告の能力を割り当てる。前記非周期的ＣＳＩ報告の能力の個数は５でありうる。前記ＵＥは、前記非周期的ＣＳＩ報告の能力まで前記非周期的ＣＳＩ報告を処理できる。前記非周期的ＣＳＩ報告に対する要求は、搬送波グループ毎に最大１回受信されることができる。ＭｅＮＢに対する前記非周期的ＣＳＩ報告の能力は、上位層により構成されることができる。
【００５７】
図８は、本発明の実施形態が実現される無線通信システムを示す。
【００５８】
ｅＮＢ（８００）は、プロセッサ（ｐｒｏｃｅｓｓｏｒ）８１０、メモリ（ｍｅｍｏｒｙ）８２０、及び送受信部８３０を備えることができる。プロセッサ８１０は、本明細書において説明された機能、過程、及び／又は方法を実現するように構成されることができる。無線インターフェースプロトコルの階層は、プロセッサ８１０により実現されることができる。メモリ８２０は、プロセッサ８１０と連結されて、プロセッサ８１０を駆動するための様々な情報を格納する。送受信部８３０は、プロセッサ８１０と連結されて、無線信号を送信及び／又は受信する。
【００５９】
ＵＥ（９００）は、プロセッサ９１０、メモリ９２０、及び送受信部９３０を備えることができる。プロセッサ９１０は、本明細書において説明された機能、過程、及び／又は方法を実現するように構成されることができる。無線インターフェースプロトコルの階層は、プロセッサ９１０により実現されることができる。メモリ９２０は、プロセッサ９１０と連結されて、プロセッサ９１０を駆動するための様々な情報を格納する。送受信部９３０は、プロセッサ９１０と連結されて、無線信号を送信及び／又は受信する。
【００６０】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。送受信部８３０、９３０は、無線周波数信号を処理するためのベースバンド回路を備えることができる。実施形態がソフトウェアで実現されるとき、前述した技術は、前述した機能を果たすモジュール(過程、機能など)で実現されることができる。モジュールは、メモリ８２０、９２０に格納され、プロセッサ８１０、９１０により実行されることができる。メモリ８２０、９２０は、プロセッサ８１０、９１０の内部または外部にありうるし、よく知られた様々な手段でプロセッサ８１０、９１０と連結されることができる。
【００６１】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の１つまたはそれ以上のステップが本発明の範囲に影響を及ぼさずに削除可能であることを理解することができる。
【図１】
0006580591.tif 000005
【図２】
0006580591.tif 000006
【図３】
0006580591.tif 000007
【図４】
0006580591.tif 000008
【図５】
0006580591.tif 000009
【図６】
0006580591.tif 000010
【図７】
0006580591.tif 000011
【図８】
0006580591.tif 000012